【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
ビデオ信号に情報を挿入することを容易にするための方法であって、
前記ビデオ信号の１つまたは複数の領域内で情報パターンを埋め込み、領域は複数の連続するフレームからなるステップを備え、
１つまたは複数の領域について、前記情報パターンを相対的強度を有する領域のフレームに埋め込み、その領域の１つまたは複数のフレームは、前記領域の他のフレームに埋め込まれた前記パターンの相対的強度と異なる相対的強度を有するパターンが埋め込まれることを特徴とする方法。
【請求項２】
ビデオ信号の保護を容易にし、前記情報パターンは透かしであることを特徴とする請求項１に記載の方法。
【請求項３】
前記ビデオ信号の前記１つまたは複数の領域を突き止めて、そこに情報パターンを埋め込むステップをさらに備えることを特徴とする請求項１に記載の方法。
【請求項４】
前記ビデオ信号の前記１つまたは複数の領域をランダムに突き止めて、そこに情報パターンを埋め込むステップをさらに備えることを特徴とする請求項１に記載の方法。
【請求項５】
前記信号のフレームをランダムに選択することにより前記ビデオ信号の前記１つまたは複数の領域を突き止めるステップをさらに備え、前記領域の各々は、前記選択されたフレームの少なくとも１つを含むことを特徴とする請求項１に記載の方法。
【請求項６】
前記ビデオ信号の前記１つまたは複数の領域の寸法を指定するステップをさらに備えることを特徴とする請求項１に記載の方法。
【請求項７】
前記ビデオ信号の１つまたは複数の前記領域の１つまたは複数のフレームのハッシュ値を決定するステップをさらに備えることを特徴とする請求項１に記載の方法。
【請求項８】
前記ビデオ信号の１つまたは複数の前記領域の１つまたは複数のフレームのハッシュ値を決定するステップと、
前記ビデオ信号と関連して前記ハッシュ値を持続するステップとをさらに備えることを特徴とする請求項１に記載の方法。
【請求項９】
１つまたは複数の領域について、前記情報パターンをプラトー形状方式で領域のフレーム内に埋め込むことを特徴とする請求項１に記載の方法。
【請求項１０】
１つまたは複数の領域について、前記複数の領域の連続するフレームのグループ内に埋め込まれた情報パターンの前記相対的強度は実質的に同一であることを特徴とする請求項１に記載の方法。
【請求項１１】
１つまたは複数の領域について、前記複数の領域の連続するフレームのグループ内に埋め込まれた情報パターンの前記相対的強度は近似的に同様であることを特徴とする請求項１に記載の方法。
【請求項１２】
１つまたは複数の領域について、前記複数の領域の連続するフレームのグループ内に埋め込まれた情報パターンの前記相対的強度は勾配であることを特徴とする請求項１に記載の方法。
【請求項１３】
コンピュータによって実行されたときに請求項１に記載の方法を実行するコンピュータ実行可能命令を有することを特徴とするコンピュータ読み取り可能媒体。
【請求項１４】
前記コンピュータによって実行されたときに請求項１に記載の方法を実行するコンピュータ実行可能命令を有することを特徴とする１つまたは複数のコンピュータ読み取り可能媒体を備えるコンピュータ。
【請求項１５】
ビデオ信号を保護することを容易にするための方法であって、
ビデオ信号の１つまたは複数の透かし領域を突き止めて、そこに透かしを埋め込み、領域は複数の連続するフレームからなるステップと、
１つまたは複数の透かし領域について、近似的プラトー形状方式で透かし領域に透かしを埋め込むステップとを備えることを特徴とする方法。
【請求項１６】
前記透かしを相対的強度を有する領域のフレームに埋め込み、その領域の１つまたは複数のフレームは、その領域の他のフレームに埋め込まれた前記透かしの相対的強度と異なる相対的強度を有する透かしが埋め込まれることを特徴とする請求項１５に記載の方法。
【請求項１７】
前記突き止めるステップは前記１つまたは複数の領域をランダムに突き止めるステップを備えることを特徴とする請求項１５に記載の方法。
【請求項１８】
前記突き止めるステップが前記信号のフレームをランダムに選択することにより前記１つまたは複数の領域をランダムに突き止めるステップを備え、前記領域の各々は、前記選択されたフレームの少なくとも１つを含むことを特徴とする請求項１５に記載の方法。
【請求項１９】
前記ビデオ信号の前記１つまたは複数の領域の寸法を指定するステップをさらに備えることを特徴とする請求項１５に記載の方法。
【請求項２０】
前記ビデオ信号の１つまたは複数の前記領域の１つまたは複数のフレームのハッシュ値を決定するステップをさらに備えることを特徴とする請求項１５に記載の方法。
【請求項２１】
前記ビデオ信号の１つまたは複数の領域の１つまたは複数のフレームのハッシュ値を決定するステップと、
前記ビデオ信号と関連して前記ハッシュ値を持続するステップとをさらに備えることを特徴とする請求項１５に記載の方法。
【請求項２２】
１つまたは複数の領域について、前記透かしをプラトー形状方式で領域のフレーム内に埋め込むことを特徴とする請求項１５に記載の方法。
【請求項２３】
１つまたは複数の領域について、前記複数の領域の連続するフレームのグループ内に埋め込まれた透かしの前記相対的強度が実質的に同一であることを特徴とする請求項１５に記載の方法。
【請求項２４】
１つまたは複数の領域について、前記複数の領域の連続するフレームのグループ内に埋め込まれた透かしの前記相対的強度は近似的に同様であることを特徴とする請求項１５に記載の方法。
【請求項２５】
１つまたは複数の領域について、前記複数の領域の連続するフレームのグループ内に埋め込まれた透かしの前記相対的強度は勾配であることを特徴とする請求項１５に記載の方法。
【請求項２６】
コンピュータによって実行されたときに請求項１５に記載の方法を実行するコンピュータ実行可能命令を有することを特徴とするコンピュータ読み取り可能媒体。
【請求項２７】
前記コンピュータによって実行されたときに請求項１５に記載の方法を実行するコンピュータ実行可能命令を有することを特徴とする１つまたは複数のコンピュータ読み取り可能媒体を備えるコンピュータ。
【請求項２８】
ビデオ信号を保護することを容易にするための方法であって、
透かしを有するビデオ信号の領域の１つまたは複数のフレームを完全にエンコードし、前記フレームは、マークされていないフレームに関して前記透かしとともに完全にエンコードされるステップと、
前記透かしの入っている前記領域の１つまたは複数のフレームを部分的にエンコードし、前記フレームは、前記完全なエンコーディングの前記フレームに関して前記透かしとともに部分的にエンコードされるステップとを備えることを特徴とする方法。
【請求項２９】
コンピュータによって実行されたときに請求項２８に記載の方法を実行するコンピュータ実行可能命令を有することを特徴とするコンピュータ読み取り可能媒体。
【請求項３０】
前記コンピュータによって実行されたときに請求項２８に記載の方法を実行するコンピュータ実行可能命令を有することを特徴とする１つまたは複数のコンピュータ読み取り可能媒体を備えるコンピュータ。
【請求項３１】
ビデオ信号を保護することを容易にするための方法であって、
透かしの入っているビデオ信号の領域の１つまたは複数のフレームを完全にエンコードし、前記フレームはマークされていないフレームに関して前記透かしとともに完全にエンコードされるステップと、
前記透かしの入っている前記領域の少なくとも１つの複数の連続するフレームを勾配エンコードし、前記複数のフレームを、前記マークされていないフレームと前記完全なエンコードの前記完全にエンコードされたフレームに関して前記透かしとともに勾配エンコードするステップとを備えることを特徴とする方法。
【請求項３２】
コンピュータによって実行されたときに請求項３１に記載の方法を実行するコンピュータ実行可能命令を有することを特徴とするコンピュータ読み取り可能媒体。
【請求項３３】
前記コンピュータによって実行されたときに請求項３１に記載の方法を実行するコンピュータ実行可能命令を有することを特徴とする１つまたは複数のコンピュータ読み取り可能媒体を備えるコンピュータ。
【請求項３４】
ビデオ信号を保護することを容易にするための方法であって、
対象のビデオ信号の１つまたは複数のフレームを生成して、そのようなフレームに対する代表的識別子（「ｒｅｐ＿ｉｄ」）を生成し、フレームのｒｅｐ＿ｉｄは前記フレームの固有の特性に基づくステップと、
前記フレームの前記代表的識別子と１つまたは複数の予想されるｒｅｐ＿ｉｄｓのセットとを比較するステップと、
前記対象のビデオ信号の１つまたは複数の検出フレームを選択し、検出フレームの前記生成されたｒｅｐ＿ｉｄは実質的に前記セットの前記予想されるｒｅｐ＿ｉｄに対応するステップとを備えることを特徴とする方法。
【請求項３５】
前記１つまたは複数の検出フレームを調査するステップと、
前記調査に基づき、かつ前記ビデオ信号の既知の元の標本にアクセスすることなく、透かしが存在するか否かを判別するステップとをさらに備えることを特徴とする請求項３４に記載の方法。
【請求項３６】
前記１つまたは複数の検出フレームを調査するステップと、
そのような調査に基づいて透かしが存在しているか否かを判別するステップとをさらに備えることを特徴とする請求項３４に記載の方法。
【請求項３７】
前記１つまたは複数の検出フレームと、１つまたは複数の検出フレームを囲むフレームとを調査するステップと、
そのような調査に基づいて透かしが存在しているか否かを判別するステップとをさらに備えることを特徴とする請求項３４に記載の方法。
【請求項３８】
フレームの前記ｒｅｐ＿ｉｄが前記フレームのハッシュ値からなることを特徴とする請求項３４に記載の方法。
【請求項３９】
１つまたは複数の予想されるｒｅｐ＿ｉｄの前記セットは透かしが埋め込まれている元の信号のフレームのハッシュ値からなることを特徴とする請求項３４に記載の方法。
【請求項４０】
コンピュータによって実行されたときに請求項３４に記載の方法を実行するコンピュータ実行可能命令を有することを特徴とするコンピュータ読み取り可能媒体。
【請求項４１】
前記コンピュータによって実行されたときに請求項３４に記載の方法を実行するコンピュータ実行可能命令を有することを特徴とする１つまたは複数のコンピュータ読み取り可能媒体を備えるコンピュータ。
【請求項４２】
情報パターンエンコードシステムであって、
ビデオ信号を取得するように構成されているビデオ信号取得部と、
前記ビデオ信号の１つまたは複数の領域を突き止めるように構成された領域ロケータであって、領域は複数の連続するフレームからなる領域ロケータと、
前記ビデオ信号の１つまたは複数の領域内で情報パターンを埋め込むように構成された領域マーカーであって、領域は複数の連続するフレームからなる領域マーカーとを備え、１つまたは複数の領域について、前記情報パターンを相対的強度を有する領域のフレームに埋め込み、その領域の１つまたは複数のフレームは、前記領域の他のフレームに埋め込まれたパターンの相対的強度と異なる相対的強度を有するパターンが埋め込まれることを特徴とするシステム。
【請求項４３】
前記情報パターンは透かしであることを特徴とする請求項４２に記載のシステム。
【請求項４４】
透かし検出システムであって、
対象のビデオ信号を取得するように構成されているビデオ信号取得部と、
前記対象のビデオ信号の１つまたは複数のフレームを生成して、そのようなフレームの代表的識別子（「ｒｅｐ＿ｉｄ」）を生成し、フレームのｒｅｐ＿ｉｄは前記フレームの固有の特性に基づき、
前記フレームの前記代表的識別子を１つまたは複数の予想されるｒｅｐ＿ｉｄｓのセットと比較し、
前記対象のビデオ信号の１つまたは複数の検出フレームを選択し、検出フレームの生成されたｒｅｐ＿ｉｄが前記セットの前記予想されるｒｅｐ＿ｉｄに実質的に対応するように構成されたフレームロケータと、
前記１つまたは複数の検出フレームを調査し、
そのような調査に基づき、かつ前記ビデオ信号の既知の元の標本にアクセスすることなく、透かしが存在するか否かを判別するように構成された透かし検出部とを備えることを特徴とするシステム。